(57)【特許請求の範囲】
【請求項１】
塑性領域を持たない第２材料製部品（３）に、第１材料製部材（５、１５）を組付ける方法であって、該方法は、
ａ）開口部（４）を有する部品（３）を形成するステップと、
ｂ）部材（５）の径方向フレア部分（７、２７、２７’、２７”、２７’”）を、応力を加えずに、開口部（４）に挿入するステップと、
ｃ）前記部品（３）を破壊しないように組立品を固定するために、２つのツール（１１、１３、２１）を軸方向に互いに向かい移動させて、開口部（４）内の前記部材のフレア部分（７、２７、２７’、２７”、２７’”）の上下部と接触させることで、前記フレア部分を弾性変形及び塑性変形させることにより、開口部（４）を囲む部品（３）の壁に対して径方向応力（Ｂ）を加え、それにより部品（３）を弾性変形させるステップと、を含むことを特徴とする方法。
【請求項２】
開口部（４）を囲む部品（３）の壁に略均一に径方向応力（Ｂ）が加わるように、中間部品（７、２７、２７’、２７”、２７’”）の外壁の形状を、部品（３）の開口部（４）と合致させることを特徴とする、請求項１に記載の方法。
【請求項３】
部品（３）の開口部（４）を円形とすることを特徴とする、請求項１又は２に記載の方法。
【請求項４】
開口部（４）を囲む部品（３）の壁は、縦溝（１）を含み、該縦溝により、ステップｄ）で、フレア部品（７、２７、２７’、２７”、２７’”）の外面に微細溝を形成して、前記組立品の構成要素が相対的に動かないようにすることを特徴とする、請求項１〜３の何れかに記載の方法。
【請求項５】
部品（３）の開口部（４）を非対称にして、前記組立品の構成要素が相対的に動かないようにすることを特徴とする、請求項１又は２に記載の方法。
【請求項６】
ステップｂ）で、開口部（４）の断面（ｅ1）と開口部（４）内のフレア部分（７、２７、２７’、２７”、２７’”）の外側断面（ｅ3）との差を、約１０μｍとすることを特徴とする、請求項１〜５の何れかに記載の組付け方法。
【請求項７】
ステップｃ）で、変形により、８〜２０μｍとなる転位を生じさせる挟持力を加えることを特徴とする、請求項１〜６の何れかに記載の組付け方法。
【請求項８】
ステップｂ）及びｃ）で、開口部（４）内の部材（５、１５）のフレア部分（７、２７、２７’、２７”、２７’”）を、２つのツール（１１、１３、２１）の一方を使用して、開口部（４）に保持することを特徴とする、請求項１〜７の何れかに記載の組付け方法。
【請求項９】
ステップｃ）で、前記フレア部分の変形で生じる応力の径方向配向（Ｂ）を促進するために、ステップｂ）で、開口部（４）内の部材（５、１５）のフレア部分（７、２７、２７’、２７”、２７’”）は、円錐状凹部（１０、３０、３０’、３０”、３０’”）を含むことを特徴とする、請求項１〜８の何れかに記載の組付け方法。
【請求項１０】
第２材料を単結晶シリコン系から形成することを特徴とする、請求項１〜９の何れかに記載の組付け方法。
【請求項１１】
第１材料を、金属又は合金系から形成することを特徴とする、請求項１〜１０の何れかに記載の組付け方法。
【請求項１２】
部品（３）を時計の歯車セットとすることを特徴とする、請求項１〜１１の何れかに記載の組付け方法。
【請求項１３】
部品（３）を時計のアンクルとすることを特徴とする、請求項１〜１１の何れかに記載の組付け方法。
【請求項１４】
部品（３）を時計のひげゼンマイとすることを特徴とする、請求項１〜１１の何れかに記載の組付け方法。
【請求項１５】
部品（３）を振動子とすることを特徴とする、請求項１〜１１の何れかに記載の組付け方法。
【請求項１６】
部品（３）をＭＥＭＳとすることを特徴とする、請求項１〜１１の何れかに記載の組付け方法。
【発明の詳細な説明】
【技術分野】
【０００１】
本発明は、塑性領域を持たない材料でできた部品を、異なる種類の材料を含む部材に組付けることに関する。
【背景技術】
【０００２】
一般に、シリコン系部品を含む現在の組立品は、接着によって固定されている。この種の処理には、接着剤を極めて微細に塗布する必要があり、そのため高価になる。
【０００３】
欧州特許第ＥＰ２１０７４３３号では、中間金属部品に組付けられる第１シリコン系部品について開示しており、その後全組立品が金属製アーバに取付けられる。しかしながら、同文献で提案された実施形態は、満足のいくものではなく、シリコン系部品が組付け中に壊れたり、部品同士が互いに十分に固着しなかったりする。
【０００４】
実際に、同文献では、中間部品の片端部をシリコン部品上に折り返して軸応力のみを生じさせており、その結果シリコン部品が破損してしまう。更に、同文献では、ファセッティングの使用を提案しているが、そうすることでシリコンにかかる応力分布が不均一となり、またシリコン部品を破損させる原因にもなる。
【発明の概要】
【発明が解決しようとする課題】
【０００５】
本発明の目的は、例えば金属又は合金等の延性材料から成る部材に、塑性領域を持たない材料製部品を固定できる、接着剤を使用しない組立品を提供することにより、上述した欠点の全部又は一部を解消することである。
【課題を解決するための手段】
【０００６】
従って、本発明は、塑性領域を持たない第２材料製部品に、第１材料製部材を組付ける方法に関する。本方法は、
ａ）開口部を有する部品を形成するステップと、
ｂ）部材の径方向フレア部分を、応力を加えずに、開口部に挿入するステップと、
ｃ）上記部品を破壊しないように組立品を固定するために、２つのツールを軸方向に互いに向かい移動させて、開口部内の上記部材のフレア部分の上下部と接触させることで、上記フレア部分を弾性変形及び塑性変形させることにより、開口部を囲む部品の壁に対して径方向応力を加え、それにより部品を弾性変形させるステップと、を含む。
【０００７】
有利なことには、本方法は、軸応力を部品に加えずに、部材を径方向に固定できる。実際に、本発明により、均一な径方向の弾性変形のみを部品に加えられる。
【０００８】
更に、本発明によれば、この構成により、確実に部品を、例えば単結晶シリコン製であっても、破壊的な応力をかけずに、部品−部材から成る組立品を、接着することなく、通常の精密制御部材に確実に固定可能になる。
【０００９】
最後に、本方法は、様々な構成要素の製造時のばらつきに適合して、部品−部材から成る組立品を結合する。
【００１０】
本発明の他の有利な特徴によれば、
−開口部を囲む部品の壁に略均一に径方向応力が加わるように、開口部内の上記部材のフレア部分の外壁の形状を、部品の開口部と略合致させる。
−部品の開口部を円形とする。
−開口部を囲む部品の壁は、縦溝を含み、該縦溝により、ステップｃ）中に、フレア部分の外面に微細溝を形成して、上記組立品の構成要素が相対的に動かないようにする。
−部品の開口部を非対称にして、上記組立品の構成要素が相対的に動かないようにする。
−ステップｂ）で、開口部の断面と、開口部内の上記部材のフレア部分の外側断面との差を、約１０μｍとする。
−ステップｃ）で、変形により、８〜２０μｍとなる変位を生じさせる挟持力を加える。
−ステップｂ）とｃ）で、開口部内の上記部材のフレア部分を、２つのツールの一方を使用して開口部内に保持する。
−ステップｃ）で、上記フレア部分の変形で生じた応力の径方向配向を促進するために、ステップｂ）で、開口部内の上記部材のフレア部分は、円錐状凹部を含む。
−第２材料を、単結晶シリコン系から形成する。
−第１材料を、金属又は合金系から形成する。
−部品は、例えば、時計の歯車セット、時計のアンクル、時計のひげゼンマイ、振動子又はＭＥＭＳであってもよい。
【００１１】
他の特徴及び利点については、添付図を参照して、非限定的な記載として示した以下の説明から明確になるであろう。
【図面の簡単な説明】
【００１２】
【図１】本発明による組付け方法の連続するステップに関する模式図である。
【図２】本発明による組付け方法の連続するステップに関する模式図である。
【図３】本発明による中間部品の断面正面図である。
【図４】本発明による中間部品の断面斜視図である。
【図５】本発明による組付け方法の変更例でのステップに関する図である。
【図６】本発明による組付け方法の変更例でのステップに関する図である。
【図７】本発明による中間部品の変形例に関する図である。
【図８】本発明による中間部品の変形例に関する図である。
【図９】本発明による中間部品の変形例に関する図である。
【図１０】本発明による中間部品の変形例に関する図である。
【図１１】脆性材料製部品用の別の開口部に関する図である。
【発明を実施するための形態】
【００１３】
以上で説明したように、本発明は、脆性材料、即ち、単結晶シリコン系材料等の塑性領域を持たない材料と、金属又は合金等の延性材料とを合体させた組立品、及びその組付け方法に関する。
【００１４】
この組立品は、時計製造分野で適用するために考案したものである。しかしながら、特に航空学、宝飾品類、自動車産業、食器等他の領域も容易に想定され得る。
【００１５】
時計製造分野では、シリコン、石英、コランダム、又はより一般的にはセラミック系材料等の脆性材料の重要性が増すため、こうした組立品が必要となる。一例として、ひげゼンマイ、テンプ、アンクル、ブリッジ、又はガンギ車等の歯車セットを、脆性材料を基礎にして完全又は部分的に形成することが想定できる。
【００１６】
しかしながら、普通鋼製アーバはその製作方法は習得されているが、これが常に使用可能であることが制約となり、塑性領域を持たない部品を共に使用するのが困難である。実際に、検査を行うと、鋼製アーバにおいて駆動できず、それが原因でシステム的に脆性部品、即ち塑性領域が無い部品が破壊された。例えば、金属製アーバをシリコン部品の開口部に入れることで生じた剪断によって、システム的に部品が破壊されることが明らかになった。
【００１７】
そのために、時計製造分野では、シリコン部品は破損せずに３００〜４５０ＭＰａ以上の応力には耐えられないと考えがちな技術的先入観がある。この値の程度は、シリコンの弾性領域を特徴付けるヤング率から理論的に推定したものである。
【００１８】
その結果、推定応力がこの３００〜４５０ＭＰａを超える場合のために、欧州特許第ＥＰ１４４５６７０号及び国際特許第ＷＯ２００６／１２２８７３号と第ＷＯ２００７／０９９０６８号で開示されたもの等のシリコンに穿設した貫通穴で形成した弾性変形手段が、開発された。
【００１９】
中間部品を変形させ、徐々にシリコン部品への応力を増大させることによる更なる検査を行うと、驚くべきことに、初期亀裂が検出されるまでに、シリコン部品が実際に遥かに高い応力に耐えられることが明らかになった。このように、意外にも、検査では、破損せずに１．５〜２ＧＰａ、即ち、技術的先入観の範囲である３００〜４５０ＭＰａを遥かに超える応力まで、その範囲が拡大された。従って、概して、シリコン、石英、コランダム、又はより一般的にはセラミック等の脆性材料は、脆性部品に通常使用される統計モデル通りには必ずしもならない。
【００２０】
こうした理由で、本発明は、例えば鋼等の延性材料といった第１材料製部材を、シリコン系材料等の塑性領域を持たない第２材料製部品の開口部に入れ、上記部材と上記部品との間に取付けた第３材料製中間部品を変形させて組付けることに関する。
【００２１】
本発明によると、上記部材は、径方向に広がる弾性及び塑性変形する部分を含み、該部分により開口部を囲む上記部品の壁を径方向に把持、又は挟持し、且つ上記部品に弾性応力をかけて、上記部品を破壊しないように組立品を固定する。
【００２２】
また、好適には、開口部に存在する、部材の径方向フレア部分の形状を、部品の開口部に略合致させて、上記開口部を囲む部品の壁に略均一な径方向応力がかかるようにする。実際に、研究を行うと、開口部に存在する部材のフレア部分により、該部分の変形によって生じた径方向応力を、開口部を囲む部品の壁に均一に分配すると好ましいことが分かった。
【００２３】
従って、脆性部品の開口部を円形にした場合、開口部に存在する部材のフレア部分の外壁を実質的に連続した円筒形にする、即ち径方向スロット又は穿孔した軸方向穴を設けないことが、脆性材料を破壊する可能性がある、開口部を囲む部品の壁の小表面域に局所的に加わる応力を防止するにあたって、ましい。
【００２４】
勿論、脆性部品の開口部の形状を別なもの、例えば、非対称にして、組立品の構成要素が相対的に動かないようにしてもよい。このように、第１変更例によれば、そうした非対称の開口部を、例えば、略楕円形としてもよい。
【００２５】
相対的に動かないよう意図した別の変更例によれば、図１１で見られるように、部品３の壁に、開口部４に突出する縦溝１を備えてもよい。好適には、縦溝１は、部品３の全厚に及び、最大高さｈのドーム状外面を含む。勿論、縦溝１を略直線状にしてもよいし、又はしなくてもよい。
【００２６】
このように、開口部４の直径ｅ1より極めて小さな高さｈのこれらの縦溝１が、フレア部分が変形した際にフレア部分の外面に微細溝を形成し、それによって開口部４の壁とフレア部分、及びそれに付随して部材５のの外面を回転可能に固定するほぞ穴及びほぞ状接合部が形成されることが明らかである。
【００２７】
従って、開口部の断面を円形にした場合、開口部に存在する部材の径方向フレア部分（開口部と合致する形状）は、連続した内外壁を有する完全な円盤、即ち全く溝が無い、又はより一般的には材料の非連続部分が無い円盤と見なせる。このように、弾性及び塑性変形によって、それに対応する、開口部に存在する部材のフレア部分の形状により、略均一な径方向応力を、開口部周りの部品壁の最大表面積に亘り生じさせられる。
【００２８】
本発明による組立品については、組立品の実施例を示す図１〜図１０を参照して一層良く理解できるであろう。
【００２９】
図１〜図４では、本発明による第１実施形態を示している。従って、第１ステップは、塑性領域を持たない材料で、開口部４を有する部品３を形成することから成る。図１で示すように、開口部４は断面ｅ1を有し、該断面を好適には０．５〜２ｍｍとし、適切な場合、開口部４へと突出する図１１の縦溝１の高さを５〜２５μｍとする。
【００３０】
このステップを、ドライ又はウェットエッチング、例えばＤＲＩＥ（深堀り反応性イオンエッチング）で達成してもよい。
【００３１】
更に、第２ステップでは、本方法は、第２材料で、主要断面ｅ2と、最大断面ｅ3を有して変形が意図される径方向フレア部分７とを有する、図１及び図２の実施例では枢動ピン５である、部材を形成することから成る。フレア部分７の厚さを、１００〜６００μｍとしてもよい。以上に説明したように、第２ステップを、通常のアーバ製作工程に従って行うことができる。部材５を、好適には金属とし、例えば鋼鉄で形成してもよい。
【００３２】
勿論、これらの最初の２ステップは、特定の順番を守る必要はなく、同時に行ってもよい。
【００３３】
第３ステップでは、径方向フレア部分７を開口部４に全く接触させずに挿入する。つまり、図１で分かるように、開口部４の断面ｅ1を部材５の径方向フレア部分の外側断面ｅ3より大きく、又は等しくする。
【００３４】
好適には、開口部４の断面ｅ1、又は適切な場合は縦溝１と中間部品７の外側断面ｅ3との差を、約１０μｍ、即ち部品３を部材５の径方向フレア部分７に対して離隔する約５μｍの隙間を存在させる。
【００３５】
更に、好適には、本発明によれば、変形ステップに使用するツール１１、１３の片方１１を使用して、径方向フレア部分７、ひいては部材５を開口部４に保持する。最後に、好適な方法では、ツール１１は部材５の一端部を受容する凹部１２を含む。
【００３６】
最後に、本方法は、第４ステップを含み、該ステップは、ツール１１、１３を軸方向Ａに互いに向けて移動させて、部材５の径方向フレア部分７を弾性変形及び塑性変形させ、それにより部材５に対して、また部品３が弾性変形して開口部４を囲む部品の壁に対してそれぞれ径方向に応力Ｂを加えるようにすることから成る。
【００３７】
実際に、意外にも、部品３の破損を防ぐための、欧州特許第ＥＰ１４４５６７０号、国際特許第ＷＯ２００６／１２２８７３号及び第ＷＯ２００７／０９９０６８号で開示されたような開口部４周りに部品３の厚さを穿孔した穴を設ける必要がなくて済む。このように、部品３を高応力下でも、即ち、シリコンに対して４５０ＭＰａ超でも、初期亀裂無く、弾性変形できる。
【００３８】
その結果、図２から分かるように、変形する径方向フレア部分７の上下部分を軸方向Ａにそれぞれツール１３と１１で押圧して、フレア部分７を弾性変形及び塑性変形させるが、中間部品７は、専ら径方向Ｂ、即ち部品３に向けて変形される。一旦ツール１１、１３から応力を解除すると、部品３が弾性復帰して、フレア部分７を介して、部材５−部品３から成る組立品を永久的に固定する。
【００３９】
好適には、本発明によると、変形していないフレア部分７と開口部４の壁との隙間で挟持力が大きくなるように、変形パラメータを設定する。好適には、挟持力により、８〜２０μｍの変位を生じさせる。
【００４０】
その結果、図２に見られるように、部材５、従って変形する径方向フレア部分７、部品３を互いに固定するために、開口部４周りで部品３を弾性変形させるように、径方向フレア部分７を弾性変形及び塑性変形させる必要がある。また、図２に示すように、フレア部分７の端部は、変形中に部品３の上に平面的に折り曲がることもあるが、それでも部品３には軸方向応力が加わらないようにする。最後に、この弾性変形により、部材５を部品３に対して自動的にセンタリングする点に注目すべきである。
【００４１】
有利には、本発明によれば、この工程中に軸方向力（自明のこととして、破壊的な傾向がある）を部品３には全く加えないようにする。ツール１１、１３のプログラムした応力に従って制御した径方向の弾性変形のみを、部品３に適用する。また、径方向フレア部分７を、その外壁の形状を開口部４と略同じにして使用することで、脆性材料製部品３の破損を防ぎ、且つ例えば縦溝１等様々な要素の製作時のばらつきに適合するために、フレア部分７を径方向に変形Ｂ中に、開口部４周りの壁に均一な応力を加えられる点にも注目すべきである。
【００４２】
好適には、図３及び図４に見られるように、径方向フレア部分７は、変形ステップで、中間部品７の変形によって生じる応力の径方向配向Ｂ、Ｃを促進するためだけでなく、上記応力を緩やかにするためにも、円錐状凹部１０を含む。実際に、円錐状凹部１０を形成する傾斜９が、結果的にツール１３との初期接触面となり、これは、開口部４を囲む部品３の壁に対する緩やかな挟持力でフレア部分７の外壁を径方向に変形させることで、円形に変化する。
【００４３】
図３及び図４で示した実施例では、円錐状凹部１０が穴８と連絡して、傾斜９から部材５の厚さｅ2に戻るまでの間に平坦な部分を形成しているのが分かる。しかし、この特徴、即ち、円錐状凹部１０と部材５の厚さｅ2との連絡は、以下に示すように、必須ではなく、凹部１０とその傾斜９を異なる形や寸法のものとしてもよい。
【００４４】
勿論、本発明は、図示した実施例に限定するものではなく、当業者が考え得る様々な変形例や変更例が可能である。特に、第１実施形態の変更例では、部品３を軸方向に係止してもよい。
【００４５】
一例として、図５及び図６では、本方法の第２実施形態について説明する。よって、図５及び図６では、部材１５が、カラー１６を有する点で部材５とは実質的に異なる変更例を示している。そのため、ツール２１の下部分は改変され、貫通孔２２だけを有して、該孔の断面を、部材１５の断面と少なくとも等しく、又は大きくしている。
【００４６】
その結果、部材５を、径方向フレア部分７では担持せず、適切な場合、部品３と同様、カラー１６で担持できることが明らかである。更に、フレア部分７の底部に関する変形を、ツール２１で直接行わず、その代わりカラー１６によって、本方法の利点を損なうことなく行う。このようにして、部品３にフレア部分７で弾性圧力を加え、部品３を部材１５のカラー１６に対して係止する。
【００４７】
一例として、図７〜図１０では、本方法の第３実施形態を示している。図７〜図１０には、径方向フレア部分２７、２７’、２７”、２７’”が、カラー２６、２６’、２６”、２６’”を有する点で、第１実施形態のフレア部分７と実質的に異なる変更例を示している。従って、第２実施形態では、第１実施形態と同じツール１１、１３を使用する。その結果、部品３に、フレア部分２７、２７’、２７”、２７’”で弾性圧力を加え、部品３をカラー２６、２６’、２６”、２６’”に対して係止する。
【００４８】
図７で説明する第１変形例では、フレア部分２７は円錐状凹部３０を含み、該凹部の傾斜２９は、部材２５の厚さｅ2で直接、即ち平坦部分無しで、連絡している。
【００４９】
また第２変形例では、フレア部分２７’、２７”、２７’”が、円錐状凹部３０’、３０”、３０’”を含むことができ、該凹部の傾斜２９’、２９”、２９’”は穴２８’、２８”、２８’”と連絡しないが、リング３１’、３１”、３１’”によって該穴から分離させている。従って、リングの高さを、傾斜２９’の端部高さより低く（３１’）、傾斜２９”の端部高さと等しく（３１”）、又は傾斜２９’”の端部高さより高く（３１’”）してもよい。勿論、この第２変形例に関しては、変形ステップで、ツール１３を傾斜２９’、２９”、２９’”の反対側にして、リング３１’、３１”、３１’”と接触状態にならないようにする。
【００５０】
上述した実施形態を、意図する用途に応じて、互いに組合せてもよい。また、そうした組立品を非限定的な実施例として、アンクル、ガンギ車、ひげゼンマイ、テンプ、ブリッジ、又はより一般には歯車セット等の時計の要素に適用してもよい。
【００５１】
また、以上に開示した組立品を、国際特許第ＷＯ２００９／１１５４６３号（参照により本明細書中に組込まれる）の弾性手段４８又はシリンダ６３、６６の代わりに、一体成形したバネテンプ振動器を枢動ピンに固定するために使用することもできる。
【００５２】
勿論、前述したような２つの部材を、それぞれの動きを統合するために、２つの異なる組立品を使用して同じアーバに固定してもよい。同じアーバを、変形される２つの径方向フレア部分７、２７、２７’、２７”、２７’”で形成することは明らかである。
【００５３】
最後に、本発明による組立品により、如何なる種類の時計、又は塑性領域（シリコン、石英等）を持たない材料で形成された他の部材を、例えば、音叉振動子、又はより一般にはＭＥＭＳ（微小電気機械システム）等のアーバに接合させることができる。
【図１】
0005330494.tif 000002
【図２】
0005330494.tif 000003
【図３】
0005330494.tif 000004
【図４】
0005330494.tif 000005
【図５】
0005330494.tif 000006
【図６】
0005330494.tif 000007
【図７】
0005330494.tif 000008
【図８】
0005330494.tif 000009
【図９】
0005330494.tif 000010
【図１０】
0005330494.tif 000011
【図１１】
0005330494.tif 000012